(57)【要約】【課題】コネクタターミナルを保持するコネクタハウジングのモータ本体への取付時に、コネクタターミナルにおける外部接続端子の長さを所望の長さに確保することができる回転電機を提供することが目的である。【解決手段】回転電機１０において、モータ本体１２に設けられコネクタターミナル４０と接続されるモータターミナル４２は、モータ本体１２に固定された固定部７４と、コネクタターミナル４０の嵌合部６８と嵌合される被嵌合部７８と、被嵌合部７８及び固定部７４に対して折り曲げられた折曲部７６とを有している。モータ本体１２には、折曲部７６に対する被嵌合部７８と反対側に位置する規制部８０が設けられている。この規制部８０は、折曲部７６と隙間を有して対向している。【選択図】図２
2014143888.tif 000002
【特許請求の範囲】
【請求項１】
モータ本体と、
前記モータ本体と別体に構成され、接続部を有するコネクタハウジングと、
前記モータ本体に設けられ、前記接続部と接続される被接続部と、
外部接続端子と嵌合部とを有し、前記接続部及び前記被接続部の接続方向に沿って延びると共に、前記コネクタハウジングに保持されたコネクタターミナルと、
前記モータ本体に固定された固定部と、前記接続部及び前記被接続部の接続に伴って前記嵌合部と嵌合される被嵌合部と、前記被嵌合部及び前記固定部に対して折り曲げられた折曲部とを有し、前記モータ本体に設けられたモータターミナルと、
前記接続部に形成された係止部と、
前記被接続部に形成され、前記接続部が正規の位置で前記被接続部に接続されているときに前記係止部と係止されて前記接続部及び前記被接続部の抜けを規制する被係止部と、
前記モータ本体に設けられ、前記折曲部に対する前記被嵌合部と反対側に位置されると共に、前記折曲部と隙間を有して対向する規制部と、
を備えた回転電機。
【請求項２】
前記接続部に形成された当接部と、
前記モータ本体に形成され、前記接続部が前記正規の位置を超えた位置まで前記被接続部に接続されたときに前記当接部と当接される被当接部とをさらに備えた、
請求項１に記載の回転電機。
【請求項３】
前記コネクタハウジングに形成された対向部と、
前記モータ本体に形成され、前記接続部及び前記被接続部の接続方向に前記対向部と対向する被対向部と、
前記対向部と前記被対向部との間に介在され、前記接続部が前記正規の位置を超えた位置まで前記被接続部に接続されたときに前記対向部と前記被対向部とによって弾性圧縮される弾性部とをさらに備えた、
請求項１又は請求項２に記載の回転電機。
【発明の詳細な説明】
【技術分野】
【０００１】
本発明は、回転電機に関する。
【背景技術】
【０００２】
従来、モータ本体と、モータ本体と別体に構成されモータ本体に取り付けられたコネクタハウジングと、外部接続端子を有しコネクタハウジングに保持されたコネクタターミナルとを備えた回転電機が知られている（例えば、特許文献１参照）。
【先行技術文献】
【特許文献】
【０００３】
【特許文献１】特開２０１２−１５２０９７号公報
【発明の概要】
【発明が解決しようとする課題】
【０００４】
このような回転電機では、コネクタターミナルを保持するコネクタハウジングがモータ本体に取り付けられた際に、コネクタハウジングに対するコネクタターミナルの長さ方向位置がずれる虞がある。この場合には、コネクタターミナルにおける外部接続端子の長さが所望の長さに足りなくなることが想定される。
【０００５】
そこで、本発明は、コネクタターミナルを保持するコネクタハウジングのモータ本体への取付時に、コネクタターミナルにおける外部接続端子の長さを所望の長さに確保することができる回転電機を提供することを目的とする。
【課題を解決するための手段】
【０００６】
前記目的を達成するために、請求項１に記載の回転電機は、モータ本体と、前記モータ本体と別体に構成され、接続部を有するコネクタハウジングと、前記モータ本体に設けられ、前記接続部と接続される被接続部と、外部接続端子と嵌合部とを有し、前記接続部及び前記被接続部の接続方向に沿って延びると共に、前記コネクタハウジングに保持されたコネクタターミナルと、前記モータ本体に固定された固定部と、前記接続部及び前記被接続部の接続に伴って前記嵌合部と嵌合される被嵌合部と、前記被嵌合部及び前記固定部に対して折り曲げられた折曲部とを有し、前記モータ本体に設けられたモータターミナルと、前記接続部に形成された係止部と、前記被接続部に形成され、前記接続部が正規の位置で前記被接続部に接続されているときに前記係止部と係止されて前記接続部及び前記被接続部の抜けを規制する被係止部と、前記モータ本体に設けられ、前記折曲部に対する前記被嵌合部と反対側に位置されると共に、前記折曲部と隙間を有して対向する規制部と、を備えている。
【０００７】
請求項１に記載の回転電機では、上記構成により、例えば、次の要領で、コネクタターミナルを保持するコネクタハウジングがモータ本体に取り付けられる。すなわち、コネクタハウジングの接続部がモータ本体に設けられた被接続部に接続され始めると、コネクタターミナルの嵌合部がモータ本体に設けられたモータターミナルの被嵌合部と嵌合され始める。このとき、コネクタハウジングに入力された接続荷重が嵌合部を介して被嵌合部に加わるため、モータターミナルの折曲部が撓み、この折曲部が規制部と当接される。また、折曲部が規制部と当接されると、接続部及び被接続部の接続方向における被嵌合部の位置が規制される。
【０００８】
そして、接続部が正規の位置で被接続部に接続されると、接続部に形成された係止部と被接続部に形成された被係止部とが係止される。なお、このときには、上述のように折曲部が撓んでいるため、嵌合部と被嵌合部とは完全な嵌合状態（正規の嵌合状態）には到っていない。
【０００９】
次いで、係止部と被係止部とを確実に係止させるために、接続部が正規の位置を超えた位置まで被接続部に接続される。すると、折曲部が規制部と当接されることで位置が規制された被嵌合部に嵌合部が嵌合され、この嵌合部と被嵌合部とが完全な嵌合状態（正規の嵌合状態）となる。
【００１０】
また、このようにして嵌合部と被嵌合部とが嵌合された状態で接続部が正規の位置に戻される（抜き方向に戻される）と、係止部と被係止部とが係止される。以上の要領で、コネクタターミナルを保持するコネクタハウジングは、モータ本体に取り付けられる。
【００１１】
ここで、仮に、嵌合部と被嵌合部とが嵌合された状態で接続部が正規の位置に戻される際に、被嵌合部（モータターミナル）の位置が固定されていると、この被嵌合部によって嵌合部（コネクタターミナル）が拘束されたまま、接続部（コネクタハウジング）だけが正規の位置に戻されることになる。従って、コネクタターミナルを保持するコネクタハウジングがモータ本体に取り付けられた際に、コネクタハウジングに対するコネクタターミナルの長さ方向の位置がずれて、コネクタターミナルにおける外部接続端子の長さが所望の長さに足りなくなる。
【００１２】
この点、請求項１に記載の回転電機によれば、上述のように嵌合部と被嵌合部とが嵌合された状態で接続部が正規の位置に戻されると、これに伴って、折曲部の撓みが解消されて、コネクタターミナルがコネクタハウジングと一体に移動する。従って、コネクタターミナルを保持するコネクタハウジングのモータ本体への取付時に、コネクタハウジングに対するコネクタターミナルの長さ方向の位置を維持することができるので、コネクタターミナルにおける外部接続端子の長さを所望の長さに確保することができる。
【００１３】
請求項２に記載の回転電機は、請求項１に記載の回転電機において、前記接続部に形成された当接部と、前記モータ本体に形成され、前記接続部が前記正規の位置を超えた位置まで前記被接続部に接続されたときに前記当接部と当接される被当接部とをさらに備えたものである。
【００１４】
請求項２に記載の回転電機によれば、接続部が正規の位置を超えた位置まで被接続部に接続されると、当接部と被当接部とが当接される。これにより、係止部と被係止部とが確実に係止されることが保証される。
【００１５】
請求項３に記載の回転電機は、請求項１又は請求項２に記載の回転電機において、前記コネクタハウジングに形成された対向部と、前記モータ本体に形成され、前記接続部及び前記被接続部の接続方向に前記対向部と対向する被対向部と、前記対向部と前記被対向部との間に介在され、前記接続部が前記正規の位置を超えた位置まで前記被接続部に接続されたときに前記対向部と前記被対向部とによって弾性圧縮される弾性部とをさらに備えたものである。
【００１６】
請求項３に記載の回転電機によれば、接続部が正規の位置を超えた位置まで被接続部に接続されたときには、対向部と被対向部との間に介在された弾性部が対向部と被対向部とによって弾性圧縮される。従って、コネクタハウジングに入力された接続荷重が解除されると、弾性部の弾性力により、接続部が正規の位置に戻される。
【図面の簡単な説明】
【００１７】
【図１】本発明の一実施形態に係る回転電機の側面断面図である。
【図２】図１に示されるコネクタハウジング及びその周辺部の拡大図である。
【図３Ａ】図２に示されるコネクタハウジングがモータ本体に取り付けられる様子を説明する第一説明図である。
【図３Ｂ】図２に示されるコネクタハウジングがモータ本体に取り付けられる様子を説明する第二説明図である。
【図４Ａ】比較例におけるコネクタハウジングがモータ本体に取り付けられる様子を説明する第一説明図である。
【図４Ｂ】比較例におけるコネクタハウジングがモータ本体に取り付けられる様子を説明する第二説明図である。
【発明を実施するための形態】
【００１８】
以下、図面に基づき、本発明の一実施形態について説明する。
【００１９】
図１に示される本発明の一実施形態に係る回転電機１０は、ブラシ付き直流モータであり、モータ本体１２と、モータコネクタ部１４とを有している。
【００２０】
モータ本体１２は、モータハウジング１６と、ハウジングプレート１８と、電機子２０と、マグネット２２と、ブラシホルダ装置２４とを備えている。モータハウジング１６は、有底筒状に形成されており、ハウジングプレート１８は、モータハウジング１６に組み付けられてモータハウジング１６の開口を塞いでいる。
【００２１】
電機子２０は、モータシャフト２６と、コア２８と、整流子３０と、巻線３２とを有している。モータシャフト２６は、モータハウジング１６及びハウジングプレート１８に対して回転可能に支持されている。コア２８及び整流子３０は、モータハウジング１６及びハウジングプレート１８の内部に回転可能に収容されると共に、モータシャフト２６に固定されている。
【００２２】
巻線３２は、コア２８に巻装されると共に、整流子３０に接続されている。マグネット２２は、モータハウジング１６の内周面に固定されている。このマグネット２２は、コア２８の径方向外側に配置されており、コア２８と対向している。
【００２３】
ブラシホルダ装置２４は、一対のブラシ３４と、ベースプレート３６とを有している。一対のブラシ３４は、ベースプレート３６上に保持されており、整流子３０と当接されている。ベースプレート３６は、モータ本体１２の軸方向を板厚方向として設けられ、ハウジングプレート１８に固定されている。
【００２４】
モータコネクタ部１４は、図２に示されるように、コネクタハウジング３８と、コネクタターミナル４０と、モータターミナル４２とを有している。
【００２５】
コネクタハウジング３８は、モータ本体１２と別体に構成されており、ハウジングケース４４と接続部４６とを有している。ハウジングケース４４は、モータ本体１２の径方向外側（矢印Ｘ１側）に向けて開口する箱状に形成されている。接続部４６は、モータ本体１２の径方向（矢印Ｘ方向）を接続方向として後述する被接続部５６と接続されるものであり、ハウジングケース４４からモータ本体１２の径方向内側（矢印Ｘ２側）に突出している。
【００２６】
この接続部４６には、貫通孔４８及び空洞部５０が形成されている。この貫通孔４８及び空洞部５０は、それぞれコネクタハウジング３８の長さ方向（矢印Ｘ方向）に貫通している。また、貫通孔４８は、接続部４６の後端部４６Ａに形成されており、空洞部５０は、接続部４６における後端部４６Ａよりも先端側の部分４６Ｂに形成されている。この貫通孔４８及び空洞部５０は、互いに連通している。
【００２７】
接続部４６における長さ方向の中間部には、モータハウジング１６側に突出する突起状の係止部５２が形成されている。また、空洞部５０の内壁面には、空洞部５０の内側に突出する突起部５４が形成されている。
【００２８】
モータ本体１２には、上述の凸状の接続部４６と接続される凹状の被接続部５６が設けられている。つまり、ハウジングプレート１８における径方向外側の端部には、ベースプレート３６側と反対側に張り出した張り出し部５８が形成されている。そして、この張り出し部５８と、ベースプレート３６におけるモータコネクタ部１４側（径方向外側）の端部３６Ａと、モータハウジング１６の開口周縁に形成されたフランジ部６０のうちモータコネクタ部１４側の部分６０Ａとによって、凹状の被接続部５６が形成されている。
【００２９】
また、ベースプレート３６における係止部５２と対応する位置には、このベースプレート３６の厚さ方向に貫通する貫通孔６２が形成されている。この貫通孔６２の内周面のうちモータ本体１２の径方向外側（矢印Ｘ１側）に位置する縁部は、被係止部６４として形成されている。この被係止部６４は、図２に示される如く接続部４６が正規の位置で被接続部５６に接続されているときには、モータ本体１２の径方向外側から係止部５２と係止される。このように、係止部５２及び被係止部６４が係止されると、接続部４６及び被接続部５６の抜けが規制される。
【００３０】
コネクタターミナル４０は、接続部４６及び被接続部５６の接続方向（矢印Ｘ方向）に沿って延びている。このコネクタターミナル４０は、外部接続端子６６と嵌合部６８とを有している。外部接続端子６６は、嵌合部６８に対してモータ本体１２の径方向外側に位置している。外部接続端子６６の基端部６６Ａは、接続部４６に形成された貫通孔４８に挿入されており、嵌合部６８は、空洞部５０に収容されている。このように、外部接続端子６６の基端部６６Ａが貫通孔４８に挿入されると共に、嵌合部６８が空洞部５０に収容されることにより、コネクタターミナル４０は、コネクタハウジング３８に保持されている。
【００３１】
また、外部接続端子６６の基端部６６Ａよりも先端側の部分６６Ｂは、接続部４６に対してモータ本体１２の径方向外側（矢印Ｘ１側）に突出すると共に、箱状に形成されたハウジングケース４４の内側に収容されている。
【００３２】
このコネクタターミナル４０には、舌片状の係止片７０が形成されている。この係止片７０は、モータ本体１２の径方向内側（矢印Ｘ２側）に向けて延出されている。また、この係止片７０は、モータ本体１２の径方向内側に向かうに従って張り出し部５８側に向かうように、接続部４６及び被接続部５６の接続方向（矢印Ｘ方向）に対して傾斜されている。この係止片７０は、空洞部５０の内周面に形成された突起部５４に対してモータ本体１２の径方向外側に位置している。そして、この係止片７０がモータ本体１２の径方向外側（矢印Ｘ１側）から突起部５４と係止されると共に、貫通孔４８と空洞部５０との間の段差部７２にモータ本体１２の径方向内側（矢印Ｘ２側）から嵌合部６８が係止されることにより、コネクタターミナル４０のコネクタハウジング３８に対する抜けが規制されている。
【００３３】
モータターミナル４２は、モータ本体１２に設けられており、固定部７４と、折曲部７６と、被嵌合部７８とを有している。固定部７４は、モータターミナル４２における長手方向一方側（矢印Ｘ２側）に形成されており、モータ本体１２（より具体的には、ベースプレート３６）に固定されている。この固定部７４は、ベースプレート３６に沿って接続部４６及び被接続部５６の接続方向（矢印Ｘ方向）に延びている。
【００３４】
被嵌合部７８は、モータターミナル４２における長手方向他方側（矢印Ｘ１側）に形成されており、接続部４６及び被接続部５６の接続方向（矢印Ｘ方向）に延びている。また、この被嵌合部７８は、モータ本体１２の径方向外側に向けて延びており、嵌合部６８と嵌合されている。この被嵌合部７８は、接続部４６及び被接続部５６の接続に伴って嵌合部６８と嵌合される。
【００３５】
折曲部７６は、固定部７４と被嵌合部７８との間に形成されており、被嵌合部７８及び固定部７４に対して折り曲げられている。また、この折曲部７６は、被嵌合部７８及び固定部７４に対して折り曲げられることにより、接続部４６及び被接続部５６の接続方向と直交する方向（すなわち、この場合、モータ本体１２の軸方向である矢印Ｙ方向）に延びている。
【００３６】
また、モータ本体１２には、ベースプレート３６から張り出し部５８側に延出する壁状の規制部８０が設けられている。この規制部８０は、折曲部７６に対する被嵌合部７８と反対側（矢印Ｘ２側）に位置されると共に、折曲部７６と隙間を有して対向している。
【００３７】
また、接続部４６には、対向部８２が形成されている。この対向部８２は、より具体的には、ハウジングケース４４と接続部４６との間の段差部によって形成されている。一方、モータ本体１２には、被対向部８４が形成されている。この被対向部８４は、凹状に形成された被接続部５６の開口側の縁部によって形成されている。対向部８２は、被対向部８４よりもモータ本体１２の径方向外側（矢印Ｘ１側）に位置している。この対向部８２及び被対向部８４は、接続部４６及び被接続部５６の接続方向（矢印Ｘ方向）に対向している。
【００３８】
また、このモータコネクタ部１４には、グロメット８６が設けられている。グロメット８６は、装着部８８とシール部９０とを有している。装着部８８は、筒状に形成されており、接続部４６に装着されている。弾性部の一例であるシール部９０は、環状に形成されており、対向部８２と被対向部８４との間に介在されて、この対向部８２と被対向部８４との間をシールしている。
【００３９】
また、接続部４６の先端部は、当接部９２として形成されている。一方、ベースプレート３６には、壁状の被当接部９４が形成されている。被当接部９４は、当接部９２に対するモータ本体１２の径方向内側（矢印Ｘ２側）に位置しており、当接部９２と対向されている。
【００４０】
次に、コネクタハウジング３８のモータ本体１２への取付方法について説明する。
【００４１】
先ず、図３Ａの上図に示されるように、コネクタハウジング３８の接続部４６がモータ本体１２に設けられた被接続部５６に接続され始めると、コネクタターミナル４０の嵌合部６８がモータ本体１２に設けられたモータターミナル４２の被嵌合部７８と嵌合され始める。このとき、コネクタハウジング３８に入力された接続荷重Ｆが嵌合部６８を介して被嵌合部７８に加わるため、モータターミナル４２の折曲部７６がモータ本体１２の径方向内側（矢印Ｘ２側）に撓み（弾性変形し）、この折曲部７６が規制部８０と当接される。また、折曲部７６が規制部８０と当接されると、接続部４６及び被接続部５６の接続方向における被嵌合部７８の位置が規制される。
【００４２】
そして、図３Ａの下図に示されるように、接続部４６が正規の位置で被接続部５６に接続されると、接続部４６に形成された係止部５２と被接続部５６に形成された被係止部６４が係止（ロック）される。なお、このときには、上述のように折曲部７６が撓んでいるため、嵌合部６８と被嵌合部７８とは完全な嵌合状態（正規の嵌合状態）には到っていない。
【００４３】
次いで、図３Ｂの上図に示されるように、係止部５２と被係止部６４とを確実に係止させるために、接続部４６が正規の位置を超えた位置（正規の位置よりもモータ本体１２の径方向内側の位置）まで被接続部５６に接続される。すると、折曲部７６が規制部８０と当接されることで位置が規制された被嵌合部７８に嵌合部６８が嵌合され、この嵌合部６８と被嵌合部７８とが完全な嵌合状態（正規の嵌合状態）となる。
【００４４】
また、このように接続部４６が正規の位置を超えた位置まで被接続部５６に接続されると、当接部９２と被当接部９４とが当接される。これにより、係止部５２と被係止部６４とが確実に係止されることが保証される。
【００４５】
そして、このように接続部４６が正規の位置を超えた位置まで被接続部５６に接続されたときには、対向部８２と被対向部８４との間に介在されたシール部９０が対向部８２と被対向部８４とによって弾性圧縮される。従って、コネクタハウジング３８に入力された接続荷重Ｆが解除されると、図３Ｂの下図に示されるように、シール部９０の弾性力により、接続部４６が正規の位置に戻される。
【００４６】
また、嵌合部６８と被嵌合部７８とが嵌合された状態でシール部９０の弾性力によって接続部４６が正規の位置に戻される（抜き方向に戻される）と、係止部５２と被係止部６４とが係止される。以上の要領で、コネクタターミナル４０を保持するコネクタハウジング３８は、モータ本体１２に取り付けられる。
【００４７】
次に、本発明の一実施形態の作用及び効果について説明する。
【００４８】
先ず、本発明の一実施形態の作用及び効果を明確にするために、比較例について説明する。図４Ａ，図４Ｂには、比較例に係るモータコネクタ部１１４が示されている。この比較例に係るモータコネクタ部１１４は、上述の本発明の一実施形態におけるモータコネクタ部１４に対して、規制部８０が折曲部７６と予め当接して設けられたものである。
【００４９】
そして、この比較例に係るモータコネクタ部１１４では、次の要領で、コネクタターミナル４０を保持するコネクタハウジング３８がモータ本体１２に取り付けられる。すなわち、図４Ａの上図に示されるように、コネクタハウジング３８の接続部４６がモータ本体１２に設けられた被接続部５６に接続され始めると、コネクタターミナル４０の嵌合部６８がモータ本体１２に設けられたモータターミナル４２の被嵌合部７８と嵌合され始める。このとき、規制部８０が折曲部７６と予め当接して設けられているので、接続部４６及び被接続部５６の接続方向における被嵌合部７８の位置は規制されている。
【００５０】
そして、図４Ａの下図に示されるように、接続部４６が正規の位置で被接続部５６に接続されると、接続部４６に形成された係止部５２と被接続部５６に形成された被係止部６４とが係止される。また、このときには、嵌合部６８と被嵌合部７８とが完全な嵌合状態（正規の嵌合状態）となる。
【００５１】
ここで、図４Ｂの上図に示されるように、係止部５２と被係止部６４とを確実に係止させるために、接続部４６が正規の位置を超えた位置まで被接続部５６に接続される場合がある。このように接続部４６が正規の位置を超えた位置まで被接続部５６に接続されると、当接部９２と被当接部９４とが当接され、係止部５２と被係止部６４とが確実に係止されることが保証される。
【００５２】
そして、このように接続部４６が正規の位置を超えた位置まで被接続部５６に接続されたときには、対向部８２と被対向部８４との間に介在されたシール部９０が対向部８２と被対向部８４とによって弾性圧縮される。従って、コネクタハウジング３８に入力された接続荷重Ｆが解除されると、図４Ｂの下図に示されるように、シール部９０の弾性力により、接続部４６が正規の位置に戻される。また、接続部４６が正規の位置に戻される（抜き方向に戻される）と、係止部５２と被係止部６４とが係止される。以上の要領で、比較例に係るモータコネクタ部１１４では、コネクタターミナル４０を保持するコネクタハウジング３８がモータ本体１２に取り付けられる。
【００５３】
しかしながら、この比較例に係るモータコネクタ部１１４では、図４Ｂの上図に示されるように、係止部５２と被係止部６４とを確実に係止（ロック）させるために、接続部４６が正規の位置を超えた位置まで被接続部５６に接続されると、折曲部７６が規制部８０と当接されることで位置が規制された被嵌合部７８に嵌合部６８が押し込まれる。このため、嵌合部６８が被嵌合部７８に正規の位置を超えた位置で嵌合された状態となる。
【００５４】
また、図４Ｂの下図に示されるように、嵌合部６８と被嵌合部７８とが嵌合された状態でシール部９０の弾性力により接続部４６が正規の位置に戻される際には、被嵌合部７８（モータターミナル４２）の位置が固定される。従って、この被嵌合部７８によって嵌合部６８（コネクタターミナル４０）が拘束されたまま、接続部４６（コネクタハウジング３８）だけが正規の位置に戻されることになる。このため、コネクタターミナル４０を保持するコネクタハウジング３８がモータ本体１２に取り付けられた際に、コネクタハウジング３８に対するコネクタターミナル４０の長さ方向の位置がずれて、コネクタターミナル４０における外部接続端子６６の長さが所望の長さ（つまり、推奨値Ｌ）に足りなくなる。
【００５５】
これに対し、本発明の一実施形態によれば、図３Ｂの下図に示されるように、嵌合部６８と被嵌合部７８とが嵌合された状態でシール部９０の弾性力により接続部４６が正規の位置に戻されると、これに伴って、折曲部７６の撓みが解消されて、コネクタターミナル４０がコネクタハウジング３８と一体に移動する。従って、コネクタターミナル４０を保持するコネクタハウジング３８のモータ本体１２への取付時に、コネクタハウジング３８に対するコネクタターミナル４０の長さ方向の位置を維持することができるので、コネクタターミナル４０における外部接続端子６６の長さを所望の長さに確保することができる。
【００５６】
つまり、外部接続端子６６の長さを推奨値Ｌにすることができる。これにより、外部接続端子６６の接続不良を抑制することができる。
【００５７】
次に、本発明の一実施形態の変形例について説明する。
【００５８】
上述の本発明の一実施形態において、接続部４６は、凸状に形成され、被接続部５６は、凹状に形成されていたが、接続部４６は、凹状に形成され、被接続部５６は、凸状に形成されていても良い。
【００５９】
また、弾性部の一例として、グロメット８６に形成されたシール部９０が用いられていたが、例えば、Ｏリング等の弾性部材が弾性部として対向部８２と被対向部８４との間に介在されていても良い。
【００６０】
また、接続部４６及び被接続部５６の接続方向は、一例として、モータ本体１２の径方向とされていたが、モータ本体１２における径方向以外の方向とされていても良い。
【００６１】
なお、上記複数の変形例は、組み合わされて実施可能である。
【００６２】
以上、本発明の一実施形態について説明したが、本発明は、上記に限定されるものでなく、上記以外にも、その主旨を逸脱しない範囲内において種々撓みして実施可能であることは勿論である。
【符号の説明】
【００６３】
１０…回転電機、１２…モータ本体、１４…モータコネクタ部、１６…モータハウジング、１８…ハウジングプレート、２０…電機子、２２…マグネット、２４…ブラシホルダ装置、２６…モータシャフト、２８…コア、３０…整流子、３２…巻線、３４…ブラシ、３６…ベースプレート、３８…コネクタハウジング、４０…コネクタターミナル、４２…モータターミナル、４４…ハウジングケース、４６…接続部、４８…貫通孔、５０…空洞部、５２…係止部、５４…突起部、５６…被接続部、５８…張り出し部、６０…フランジ部、６２…貫通孔、６４…被係止部、６６…外部接続端子、６８…嵌合部、７０…係止片、７２…段差部、７４…固定部、７６…折曲部、７８…被嵌合部、８０…規制部、８２…対向部、８４…被対向部、８６…グロメット、８８…装着部、９０…シール部（弾性部）、９２…当接部、９４…被当接部
【図１】
2014143888.tif 000003
【図２】
2014143888.tif 000004
【図３Ａ】
2014143888.tif 000005
【図３Ｂ】
2014143888.tif 000006
【図４Ａ】
2014143888.tif 000007
【図４Ｂ】
2014143888.tif 000008